(57)【要約】【課題】本をブックスキャンにてコピーする際に、本を原稿押えカバーで押えても原稿押えカバーで影響されずに手でも本を楽に押えてコピーできるようにした画像読取装置を提供する。【解決手段】原稿押えカバー２１は装置本体１にヒンジ機構２５により開閉可能にヒンジ連結されている。装置本体１には、その上部からカム状体３０が出没自在に設けられる。カム状体３０は楕円形状を呈し、支軸３１により回転自在に支持されている。また、カム状体３０は４つのツメ３２を有し、このツメ３２に係合する戻り止め３５が装置本体１のフレーム７に付設されている。戻り止め３５はカム状体３０側に自ら付勢する弾性を有する。ツメ３２と戻り止め３５との係合により、原稿押えカバー２１の開角度を４段階に調整できる。【選択図】      図２
2004240351.tif 000002
【特許請求の範囲】
【請求項１】
装置本体と、この装置本体に設けられたプラテンと、装置本体に開閉自在にヒンジ連結され、プラテンに載せた原稿をプラテンに押付ける原稿押えカバーとを備えた画像読取装置において、
前記原稿押えカバーを前記プラテンに対して任意の開角度で支持する支持手段を備えることを特徴とする画像読取装置。
【発明の詳細な説明】
【０００１】
【発明の属する技術分野】
この発明は、コピー機、ファクシミリ、或いはコピー機能とファクシミリ機能を併有する複合機等に使用される画像読取装置に関する。
【０００２】
【従来の技術】
画像読取装置は一般に、装置本体と、装置本体に設けられ、原稿を載せるガラスとしてのプラテンと、装置本体に開閉自在にヒンジ連結され、プラテンに載せた原稿をプラテンに押付ける原稿押えカバーとを備える（例えば、特許文献１参照）。
【０００３】
この特許文献１記載の技術では、支点を中心に回動可能に開閉する原稿カバーにおいて、閉位置から開けるときには停止することなく全開放位置まで開け、全開放位置から閉めるときには全開放位置と閉位置の間の中間位置で一旦停止可能な保持手段を設けてある。
【０００４】
ところで、画像読取装置では、原稿として本（特に分厚い本）をコピーする場合（ブックスキャン時）は、本の中央の綴じ部分“のど”寄りの文字が歪んで複写されたり、端部が黒く印字されたりするのを防ぐために、本を原稿押えカバーで押えつつ本の背や端部を手で押えてコピーすることが多い。
【０００５】
【特許文献１】
特開２００２−１４４３２号公報
【０００６】
【発明が解決しようとする課題】
本を原稿押えカバーで押え、なおかつ手で押えてコピーする場合、原稿押えカバーが手に多い被さり、原稿押えカバーの付勢力と自重が手に加わって重くなり、本のコピー作業を行い難くなる。だからといって、本を手で押えないと、上記したように文字の歪んだ複写や端部の黒印字の問題が生じ易い。上記特許文献１記載の技術でも、そのような問題が起こり得る。
【０００７】
この発明は、そのような問題点に着目してなされたものであって、本をブックスキャンにてコピーする際に、本を原稿押えカバーで押えても原稿押えカバーで影響されずに手でも本を楽に押えてコピーできるようにした画像読取装置を提供することを目的としている。
【０００８】
【課題を解決するための手段】
前記目的を達成するために、この発明の画像読取装置は、装置本体と、この装置本体に設けられたプラテンと、装置本体に開閉自在にヒンジ連結され、プラテンに載せた原稿をプラテンに押付ける原稿押えカバーとを備えたものにおいて、前記原稿押えカバーを前記プラテンに対して任意の開角度で支持する支持手段を備えることを特徴とする。
【０００９】
この画像読取装置では、原稿として本（特に分厚い本）をコピーする場合、支持手段で任意の開角度で支持することができるので、本を手で押さえても原稿押えカバーが手に覆い被さらず、文字の歪んだ複写や端部の黒印字等の問題を起こさずに本のコピー作業を楽に行うことができる。
【００１０】
【発明の実施の形態】
以下、実施の形態により、この発明を更に詳細に説明する。
【００１１】
実施形態に係る画像読取装置の斜視図を図１（原稿押えカバーを開いた状態）に示す。
【００１２】
この画像読取装置は、装置本体１と、装置本体１の上部に設けられたガラスとしてのプラテン１０と、装置本体１にヒンジ機構２５により開閉自在にヒンジ連結され、プラテン１０に載せた原稿（本や１枚毎の印刷物等の静止原稿）をプラテン１０に押付ける原稿押えカバー２１と、装置本体１の向かって左側端部に設置された原稿自動供給装置（ＡＤＦ）２とを備える。原稿押えカバー２１は裏側に張られた押圧シート２２を有し、この押圧シート２２は、プラテン１０上に置いた原稿の上面に接触して押圧する柔軟な白色部材である。
【００１３】
ここまでの構成は従来と何ら変わりはないが、この画像読取装置の特徴は、原稿押えカバー２１をプラテン１０に対して任意の開角度で支持する支持手段を備えることである。その支持手段の一例を図２に概略図で示す。図２では、装置本体１には、その上部からカム状体３０が出没自在に設けられるとともに、カム状体３０を受容するための空間１５が形成されている（図１参照）。
【００１４】
カム状体３０は楕円形状を呈し、支軸３１により回転自在に支持されている。ここでのカム状体３０は４つのツメ３２を有し、このツメ３２に係合する戻り止め３５が装置本体１のフレーム７に付設されている。戻り止め３５はカム状体３０側に自ら付勢する弾性を有する。
【００１５】
従って、カム状体３０を時計回り方向に回転させ、ツメ３２と戻り止め３５とを係合させることで、カム状体３０の位置を固定することができる。また、戻り止め３５と係合するツメ３２を選択し、装置本体１の上部からのカム状体３０の突出度合を４段階に調整することにより、カム状体３０で原稿押えカバー２１をプラテン１０に対して所望の開角度で支持することができる。勿論、原稿押えカバー２１の開角度は、本５０の厚さやユーザの手Ｈの大きさ等に応じて、コピーし易いように４段階のうちから任意に調整する。
【００１６】
原稿押えカバー２１を完全に閉めるときは、カム状体３０を回転させてツメ３２と戻り止め３５との係合を解除し、カム状体３０を装置本体１の空間１５内に収容すればよい。
【００１７】
なお、カム状体３０のツメ３２の個数は４つに限定されることはなく、これより多くして、原稿押えカバー２１の開角度をより多段階に調整できるようにしてもよい。又は、例えばツマミを装置本体１の右側面に設けておき、ツマミを回すことでツメ無しのカム状体３０の位置を無段階に調整できるようにしてもよい。或いは、ツメ無しのカム状体３０をモータで回転駆動できるようにし、ボタンの操作でモータを回転させることでカム状体３０の位置を調整できるようにしても構わない。
【００１８】
支持手段の別例を図３〔概略図（ａ）、要部部分拡大図（ｂ）〕に示す。図３では、装置本体１に支持棒４０が出没自在に設けられている。支持棒４０は、半球状の頭部４１と４つの凹部４２を有する。この支持棒４０の頭部４１に対面する原稿押えカバー２１の部分には、頭部４１を受容する大きめの半球状の凹部２７が形成されている。
【００１９】
支持棒４０の凹部４２に対しては係合棒４５が嵌合可能であり、係合棒４５は装置本体１のフレーム８にスプリング４６を介して支持され、スプリング４６により支持棒４０側に付勢されている。この付勢力は、原稿押えカバー２１を支えるのに充分な力であるが、原稿押えカバー２１又は支持棒４０自体をプラテン１０側に強く押付けると、支持棒４０の凹部４２との嵌合から容易に外れるように設定されている。
【００２０】
原稿押えカバー２１の開角度を設定するには、例えば装置本体１の右側面に設けられたツマミを操作して、支持棒４０を装置本体１の上部から突出させ、支持棒４０の凹部４２に係合棒４５を嵌合させる。係合棒４５が嵌合する支持棒４０の凹部４２を選択することで、原稿押えカバー２１の開角度を４段階に調整できる。
【００２１】
また、原稿押えカバー２１を完全に閉じるようにするには、ツマミを操作するか、又は原稿押えカバー２１や支持棒４０自体をプラテン１０側に押付けることで、支持棒４０を装置本体１内に収容すればよい。
【００２２】
なお、この場合も、支持棒４０の凹部４２の個数に限定はない。
【００２３】
【発明の効果】
以上説明したように、この発明の画像読取装置によれば、原稿として本（特に分厚い本）をコピーする場合、プラテンに対して支持手段により原稿押えカバーを任意の開角度で支持することができるので、本を手で押えても原稿押えカバーが手に覆い被さらないようにすることができる。よって、原稿押えカバーと手で本を押えながらでも本のコピー作業を楽に行うことができる。
【図面の簡単な説明】
【図１】実施形態に係る画像読取装置の原稿押えカバーを開いた状態での斜視図である。
【図２】同画像読取装置に設けられる支持手段の一例を示す概略図である。
【図３】同画像読取装置に設けられる支持手段の別例を示す概略図（ａ）、及びその支持手段の要部部分拡大図（ｂ）である。
【符号の説明】
１      装置本体
１０    プラテン
２１    原稿押えカバー
３０    カム状体
３２    ツメ
３５    戻り止め
４０    支持棒
４２    凹部
４５    係合棒
５０    本（原稿）
Ｈ      手
【図１】
2004240351.tif 000003
【図２】
2004240351.tif 000004
【図３】
2004240351.tif 000005